(57)【要約】セキュリティエレメントを認証する方法は、第１のコードエレメントを第１の部分コードエレメント２１及び第２の部分コードエレメントに分割するステップと、第２の部分コードエレメントを記憶するステップと、第１の部分コードエレメント２１及び／又は第２のコードエレメント３をオブジェクト１に対して配置するステップと、リーダによって第１の部分コードエレメント２１及び第２のコードエレメント３をキャプチャするステップと、キャプチャされたデータから第１の部分コードエレメント２１及び第２のコードエレメント３を抽出するステップと、第２のコードエレメント３をキーとして記憶された第２の部分コードエレメントにアクセスするステップと、抽出された第１の部分コードエレメントと記憶された第２の部分コードエレメントとをマージした結果生じるコードエレメントが第１のコードエレメントに対応するか確認するステップと、を含む。
2020525882.tif 000002
【特許請求の範囲】
【請求項１】
オブジェクト（１）、特に有価文書、ＩＤドキュメント及び製品を保護するためのセキュリティエレメントを認証する方法であって、
第１のコードエレメント（２）を少なくとも１つの第１の部分コードエレメント（２１）と１つの第２の部分コードエレメント（２２）とに分割するステップと、
前記第２の部分コードエレメント（２２）を記憶するステップと、
前記第１の部分コードエレメント（２１）及び／又は第２のコードエレメント（３）をオブジェクト（１）上及び／又はオブジェクト（１）内に配置するステップと、
前記第１の部分コードエレメント（２１）及び前記第２のコードエレメント（３）をリーダ（５）により共に機械的にキャプチャするステップと、
前記リーダによりキャプチャされたデータから前記第１の部分コードエレメント（２１）及び前記第２のコードエレメント（３）を抽出するステップと、
前記第２のコードエレメント（３）をキーとして使用して、記憶された前記第２の部分コードエレメント（２２）にアクセスするステップと、
抽出された前記第１の部分コードエレメントと記憶された前記第２の部分コードエレメントとをマージした結果生じるコードエレメント（２３）が前記第１のコードエレメント（２）と対応するか否かを確認するステップと、
を含む方法。
【請求項２】
前記第１のコードエレメント（２）は、一連の英数字、一連の数字、バーコード、特に二次元バーコード又はＱＲコード及び／又は単色又は多色画像、特にグラフィック又はトゥルーカラー画像である、ことを特徴とする請求項１に記載の方法。
【請求項３】
前記第２のコードエレメント（３）は、一連の英数字、一連の数字、バーコード、特に二次元バーコード又はＱＲコード及び／又は単色又は多色画像、特にグラフィック又はトゥルーカラー画像である、ことを特徴とする請求項１又は２に記載の方法。
【請求項４】
前記第１の部分コードエレメント（２１）及び前記第２のコードエレメント（３）は、前記オブジェクト（１）上及び／又は前記オブジェクト（１）内において互いに隣接して配置され、特に、２ｍｍ〜２０ｍｍ、好ましくは４ｍｍ〜１５ｍｍの間隔を隔てて互いに配置される、ことを特徴とする請求項１〜３のいずれかに記載の方法。
【請求項５】
前記第１の部分コードエレメント（２１）及び前記第２のコードエレメント（３）は、横方向寸法が５０ｍｍ〜１５０ｍｍ、好ましくは６０ｍｍ〜１２０ｍｍである領域（１４）内に配置される、ことを特徴とする請求項１〜４のいずれかに記載の方法。
【請求項６】
前記第１の部分コードエレメント（２１）及び／又は前記第２のコードエレメント（３）は、前記オブジェクト（１）の少なくとも１つのフィルムエレメント（１１）に導入され、かつ／又は前記オブジェクト（１）の少なくとも１つのフィルムエレメント（１１）に適用される、ことを特徴とする請求項１〜５のいずれかに記載の方法。
【請求項７】
前記少なくとも１つのフィルムエレメント（１１）は、光学活性レリーフ構造、特に回折格子、ホログラム、０次回折構造、ブレーズド格子、マクロ構造、特にレンズ構造又はマイクロプリズム構造、ミラー表面、マット構造、特に異方性又は等方性マット構造、体積ホログラム、色変化効果を有する薄膜構造、液晶材料、発光顔料、サーモクロミック顔料及び／又は光学可変顔料を個別に又は組み合わせて含む一つ又は複数の層（１１１）を有する、ことを特徴とする請求項６に記載の方法。
【請求項８】
前記少なくとも１つのフィルムエレメント（１１）は、ホットスタンピングフィルム又はコールドスタンピングフィルム、積層フィルム又はセキュリティスレッドの転写プライから形成される、ことを特徴とする請求項６又は７に記載の方法。
【請求項９】
前記第１の部分コードエレメント（２１）及び／又は前記第２のコードエレメント（３）は、光学特性を変化させるように、特に、所定の領域において前記フィルムエレメントの一つ又は複数の層を穿孔しかつ／又は当該層を励起するレーザにより前記フィルムエレメント（１１）に導入される、ことを特徴とする請求項６〜８のいずれかに記載の方法。
【請求項１０】
前記第１の部分コードエレメント（２１）及び／又は前記第２のコードエレメント（３）は、デジタル印刷プロセス、特にインクジェット印刷又は熱転写印刷により、特に前記フィルムエレメント（１１）を前記オブジェクト（１）に適用する前に一つ又は複数の個別化された層を刷り重ねることにより、前記フィルムエレメント（１１）に導入される、ことを特徴とする請求項６〜９のいずれかに記載の方法。
【請求項１１】
前記第１の部分コードエレメント（２１）及び／又は前記第２のコードエレメント（３）は、デジタル印刷プロセス、特にインクジェット印刷又は熱転写印刷により、特に前記フィルムエレメント（１１）を前記オブジェクト（１）に適用した後に一つ又は複数の個別化された層を刷り重ねることにより、前記少なくとも１つのフィルムエレメント（１１）に適用される、ことを特徴とする請求項６〜１０のいずれかに記載の方法。
【請求項１２】
前記第１の部分コードエレメント（２１）及び／又は前記第２のコードエレメント（３）は、前記フィルムエレメントを転写フィルムから個別に打ち抜くことによって、特に、転写プライを前記オブジェクトに転写する前に転写フィルム上に個別化された接着剤層を刷り重ねることによって、前記少なくとも１つのフィルムエレメント（１１）に導入される、ことを特徴とする請求項６〜１１のいずれかに記載の方法。
【請求項１３】
前記少なくとも１つのフィルムエレメント（１１）は、セキュリティスレッド、特にウィンドウセキュリティスレッドの形態で前記オブジェクト（１）のキャリア基板（１０）に導入される、ことを特徴とする請求項６〜１２のいずれかに記載の方法。
【請求項１４】
前記少なくとも１つのフィルムエレメント（１１）は、特に接着剤層（１１３）によって、前記オブジェクト（１）のキャリア基板（１０）の表面上に固定される、ことを特徴とする請求項６〜１３のいずれかに記載の方法。
【請求項１５】
前記第１の部分コードエレメント（２１）及び／又は前記第２のコードエレメント（３）は、デジタル印刷プロセス、特にインクジェット印刷又は熱転写印刷により、前記オブジェクト（１）に適用される、ことを特徴とする請求項１〜１４のいずれかに記載の方法。
【請求項１６】
前記第１の部分コードエレメント（２１）及び前記第２のコードエレメント（３）は、異なるプロセスによって、特に一方がデジタル印刷プロセスにより、他方がフィルムエレメントの適用により、前記オブジェクト（１）内及び／又は前記オブジェクト（１）上に配置される、ことを特徴とする請求項１〜１５のいずれかに記載の方法。
【請求項１７】
前記第１の部分コードエレメント（２１）及び前記第２のコードエレメント（３）は、前記リーダ（５）によって共に光学的にキャプチャされ、好ましくは、カメラによって光学的にキャプチャされる、ことを特徴とする請求項１〜１６のいずれかに記載の方法。
【請求項１８】
前記リーダ（５）は、キャプチャする間、前記第１の部分コードエレメント（２１）及び前記第２のコードエレメント（３）を含む前記オブジェクト（１）の領域（１４）の光学コピーを含む画像データセット（９１０）を生成し、
前記第１の部分コードエレメント（２１）及び前記第２のコードエレメント（３）は、好ましくは、画像、コード及び／又はテキスト認識により前記画像データセット（９１０）から抽出される、ことを特徴とする請求項１〜１７のいずれかに記載の方法。
【請求項１９】
前記画像データセット（９１０）は、通信ネットワーク（８）を介して前記リーダ（５）によりサーバ（６）に送信される、ことを特徴とする請求項１８に記載の方法。
【請求項２０】
前記サーバ（６）は、抽出及び確認を実行し、当該確認の結果は、前記通信ネットワーク（８）を介して前記サーバ（６）により前記リーダ（５）に送信される、ことを特徴とする請求項１９に記載の方法。
【請求項２１】
前記第１のコードエレメント（２）のチェックサムが確定され、前記チェックサムが前記第２の部分コードエレメント（２２）のため又は前記第２の部分コードエレメントの一部として記憶される、ことを特徴とする請求項１〜２０のいずれかに記載の方法。
【請求項２２】
前記抽出された第１の部分コードエレメント（２１）と、前記記憶された第２の部分コードエレメント（２２）とのマージにより得られた前記コードエレメント（２３）が前記第１のコードエレメント（２）に対応するか否かを確認する間、前記マージから得られた前記コードエレメント（２３）のチェックサムが確認され、このチェックサムが、前記第２の部分コードエレメント（２２）のため又は前記第２の部分コードエレメントの一部として記憶された前記第１のコードエレメント（２）のチェックサムと比較される、ことを特徴とする請求項２１に記載の方法。
【請求項２３】
特に、前記第１のコードエレメント（２１）が全単射の第１のコード（２０）を含むか又は形成するように、前記第１のコードエレメント（２１）を生成するステップをさらに含む、ことを特徴とする請求項１〜２２のいずれかに記載の方法。
【請求項２４】
前記第１のコードエレメント（２）を分割するステップは、
任意選択でテンプレート（２００）を生成及び／又は選択するステップと、
任意選択で前記テンプレート（２００）の基準点（２０１）を決定するステップと、
任意選択で前記第１のコードエレメント（２）の基準点（２０２）を決定するステップと、
特に前記第１のコードエレメント（２）の前記基準点（２０２）及び／又は前記テンプレート（２００）の前記基準点（２０１）に基づいて、前記テンプレート（２００）を前記第１のコードエレメント（２）に適用することによって、前記第１のコードエレメント（２）を前記少なくとも１つの第１の部分コードエレメント（２１）及び前記第２の部分コードエレメント（２２）に分割するステップと、
を含む、ことを特徴とする請求項１〜２３のいずれかに記載の方法。
【請求項２５】
前記テンプレート（２００）は、ランダム又は擬似ランダムに生成され、かつ／又は、所定のテンプレートのセットからランダム又は擬似ランダムに選択される、ことを特徴とする請求項２４に記載の方法。
【請求項２６】
前記テンプレート（２００）は、前記第１のコードエレメント（２）の前記基準点（２０２）及び前記テンプレート（２００）の前記基準点（２０１）を覆うように、前記第１のコードエレメント（２）と重ね合わされる、ことを特徴とする請求項２４又は２５に記載の方法。
【請求項２７】
前記テンプレート（２００）は、好ましくは位置に応じて一つ又は複数のフィルタ基準を規定する光学フィルタ特徴部から形成される、ことを特徴とする請求項２４〜２６のいずれかに記載の方法。
【請求項２８】
前記一つ又は複数のフィルタ基準は、明度値、コントラスト値、色値、スペクトル領域及び／又は偏光からなる群から選択される、ことを特徴とする請求項２７に記載の方法。
【請求項２９】
前記テンプレート（２００）が前記第１のコードエレメント（２）に適用されるとき、前記テンプレート（２００）のフィルタ特徴部が前記第１のコードエレメント（２）に重ね合わされ、前記第１のコードエレメント（２）の分割のため、位置に応じて又は位置と無関係に、前記テンプレート（２００）の一つ又は複数のフィルタ基準によって決定される前記第１のコードエレメント（２）のスペクトルの第１の部分が前記第１の部分コードエレメント（２１）に割り当てられ、残りの部分が前記第２の部分コードエレメント（２２）に割り当てられる、ことを特徴とする請求項２４〜２８のいずれかに記載の方法。
【請求項３０】
前記テンプレート（２００）が前記第１のコードエレメント（２）に適用されるとき、前記テンプレート（２００）のフィルタ特徴部が前記第１のコードエレメント（２）に重ね合わされ、前記第１のコードエレメント（２）の分割のために、位置に応じて、前記第１のコードエレメント（２）の画像点が、前記テンプレート（２００）の一つ又は複数のフィルタ基準が満たされるか否かに応じて、前記第１の部分コードエレメント（２１）又は前記第２の部分コードエレメント（２２）に割り当てられる、ことを特徴とする請求項２４〜２９のいずれかに記載の方法。
【請求項３１】
前記テンプレート（２００）が前記第１のコードエレメント（２）と重ね合わされ、前記第１のコードエレメント（２）の分割のため、前記テンプレート（２００）及び前記第１のコードエレメントが重ね合わされた前記第１のコードエレメント（２）の部分領域が前記第１の部分コードエレメント（２１）に割り当てられ、前記テンプレート（２００）及び前記第２のコードエレメント（３）が重ね合わされた前記第１のコードエレメント（２）の部分領域が前記第２の部分コードエレメント（２２）に割り当てられるか、又は逆に割り当てられることを特徴とする請求項２４〜３０のいずれかに記載の方法。
【請求項３２】
前記テンプレート（２００）は、前記第１のコードエレメントの部分領域のみに重ね合わさり、好ましくは、前記第１のコードエレメントの表面領域の４５〜６０％に重ね合わさる、ことを特徴とする請求項２４〜３１のいずれかに記載の方法。
【請求項３３】
前記テンプレート（２００）は、重ね合わせの間に前記第１のコードエレメント（２）の表面領域内に完全に配置されるように、前記テンプレート（２００）が生成され、前記第１のコードエレメント（２）に重ね合わせられる、ことを特徴とする請求項２４〜３２のいずれかに記載の方法。
【請求項３４】
前記テンプレート（２００）は、前記第１のコードエレメント（２）の全単射が存在しないように、前記第１のコードエレメント（２）に重ね合わせられる、ことを特徴とする請求項２４〜３３のいずれかに記載の方法。
【請求項３５】
前記抽出された第１の部分コードエレメント（２１）と前記記憶された第２の部分コードエレメント（２２）とのマージは、前記抽出された第１の部分コードエレメント（２１）と前記記憶された第２の部分コードエレメント（２２）との重ね合わせによって、特に、前記テンプレート（２００）の前記基準点（２０１）及び／又は前記第１のコードエレメント（２）の前記基準点（２０２）に基づいて実行される、ことを特徴とする請求項２４〜３４のいずれかに記載の方法。
【請求項３６】
マージに対応する画像データセットからバーコード及び／又はテキスト認識を実行することによって確認を行うため、対応する一連の英数字が決定され、第１のコード（２０）と比較され、第１のコードエレメント（２）及び／又はそのチェックサムが、前記第１のコード（２０）又は前記第１のコードエレメント（２）のチェックサムと比較される、ことを特徴とする請求項２４〜３５のいずれかに記載の方法。
【請求項３７】
マージに対応する画像データセットから画像認識を実行することにより確認を行うため、一つ又は複数の特性値が決定され、当該特性値が前記第１のコードエレメント（２）を指定する特性値と比較されることを特徴とする請求項２４〜３６のいずれかに記載の方法。
【請求項３８】
画像比較を実行することにより確認を行うため、マージに対応する画像データセットが、前記第１のコードエレメント（２）に対応する前記画像データセットと比較される、ことを特徴とする請求項２４〜３７のいずれかに記載の方法。
【請求項３９】
特に、前記第２のコードエレメント（３）が前記第１のコードエレメント（２）及び／又は全単射の第２のコード（３１１）に割り当てられたキーを形成するように、前記第２のコードエレメント（３）を生成するステップを含む、ことを特徴とする請求項１〜３８のいずれかに記載の方法。
【請求項４０】
全単射の第２のコード（３１１）を生成し、当該第２のコード（３１１）から前記第２のコードエレメント（２）を生成するステップを含む、ことを特徴とする請求項１〜３９のいずれかに記載の方法。
【請求項４１】
前記第２のコードエレメント（２）、第２のコード（３１１）及び／又は前記第２のコードエレメント（２）に割り当てられたキーを記憶するステップを含む、ことを特徴とする請求項１〜４０のいずれかに記載の方法。
【請求項４２】
前記第２の部分コードエレメント（２２）、任意選択で前記第１のコードエレメント（２）の基準点（２０２）、任意選択でテンプレート（２００）の基準点（２０１）並びに前記第２のコードエレメント（３）、第２のコード（３１１）及び／又は前記第２のコードエレメント（３）に割り当てられたキーがデータベース（６３）に記憶され、
前記データベース（６３）における前記第２の部分コードエレメント（２２）、任意選択で前記第２のコードエレメント（２）の前記基準点（２０２）、任意選択で前記テンプレート（２００）の前記基準点（２０１）が、前記第２のコードエレメント（３）、前記第２のコード（３１１）及び／又は前記第２のコードエレメントに割り当てられたキーに割り当てられる、ことを特徴とする請求項１〜４１のいずれかに記載の方法。
【請求項４３】
前記第２の部分コードエレメント（２２）、前記第２のコードエレメント（２）の基準点（２０２）、前記テンプレート（２００）の基準点（２０１）、前記第２のコードエレメント（３）、前記第２のコードエレメント（３１１）及び／又は前記第２のコードエレメント（３）に割り当てられたキーは、共通のデータセットに記憶されることを特徴とする、請求項１〜４２のいずれかに記載の方法。
【請求項４４】
一連の英数字の形態で第１のコード（２０）が生成され、
前記第１のコード（２０）をバーコード、特にＱＲコードに変換することによって、前記第１のコードエレメント（２）が生成され、
前記第１のコードエレメント（２）を形成するバーコードがテンプレート（２００）によって分割され、前記第１の部分コードエレメント（２１）を含む画像データセットが生成され、
マージに対応する画像データセットにバーコード認識が適用され、
確認の間、前記バーコード認識から生じる一連の文字が、前記第１のコードの一連の英数字に対応するか否かについて比較される、ことを特徴とする請求項１〜４３のいずれかに記載の方法。
【請求項４５】
グラフィック又はトゥルーカラー画像を含む画像データセットが前記第１のコードエレメント（２）として生成され、
前記第１の部分コードエレメント（２１）を形成する前記グラフィック又はトゥルーカラー画像がテンプレート（２０）により分割され、前記第１の部分コードエレメント（２１）を含む画像データセットが生成され、
画像比較の実行による確認の間、マージに対応する画像データセットが前記第１のコードエレメント（２）に対応する画像データセットと比較される、ことを特徴とする請求項１〜４４のいずれかに記載の方法。
【請求項４６】
オブジェクト（１）を認証するための、特に請求項１〜４５のいずれかに記載の方法を実行するためのサーバ（６）であって、
前記サーバは、
第１のコードエレメント（２）を少なくとも１つの第１の部分コードエレメント（２１）と１つの第２の部分コードエレメント（２２）とに分割し、
前記第２の部分コードエレメント（２２）及び前記第２の部分コードエレメントへのアクセスに寄与する第２のコードエレメント（２）又は割り当てられた第２のコード（２０）を内部又は外部のデータベース（６３）に記憶し、
前記第１の部分コードエレメント（２１）及び／又は前記第２のコードエレメント（３）を前記オブジェクト（１）上に配置するため、前記第１の部分コードエレメント（２１）及び／又は前記第２のコードエレメント（３）を個別化装置（７）に送信する、
ように設計される、ことを特徴とするサーバ（６）。
【請求項４７】
オブジェクト（１）を認証するための、特に請求項１〜４５のいずれかに記載の方法を実施するためのサーバ（６）あって、
前記サーバは、
第１の部分コードエレメント（２１）及び第２のコードエレメント（３）の共同の機械的なキャプチャを含むデータをリーダ（５）から受け、
前記リーダによりキャプチャされたデータから前記第１の部分コードエレメント（２１）及び前記第２のコードエレメント（３）を抽出し、
前記第２のコードエレメント（３）をキーとして用いて記録された第２の部分コードエレメント（２２）にアクセスし、
抽出された前記第１の部分コードエレメント（２１）及び記憶された前記第２の部分コードエレメント（２２）のマージにより得られるコードエレメント（２３）が第１のコードエレメント（２）に対応するか否を確認する、
ように設計される、ことを特徴とするサーバ（６）。
【請求項４８】
前記サーバ（６）は、さらに確認の結果を含むメッセージ（９２）を前記リーダ（５）に送信するように設計される、ことを特徴とする請求項４７に記載のサーバ（６）。
【請求項４９】
オブジェクト（１）を個別化するための、特に請求項１〜４５のいずれかに記載の方法を実施するための個別化装置（７）であって、
前記個別化装置（７）は、少なくとも１つの第１の部分コードエレメント（２１）及び／又は１つの第２のコードエレメント（３）を前記オブジェクト（１）内及び／又は前記オブジェクト（１）上に配置するように設計され、
第１のコードエレメント（２）を前記少なくとも１つの第１の部分コードエレメント（２１）と、１つの第２の部分コードエレメント（２２）とに分割することによって前記第１の部分コードエレメント（２１）が形成され、データベース（６３）に記憶される、ことを特徴とする個別化装置（７）。
【請求項５０】
前記個別化装置（７）は、
第１のコード（２０）又は第１のコードエレメントを生成して、サーバ（６）へ送信し、前記第１のコード（２０）から前記第１のコードエレメント（２）を生成し、及び／又は前記第１のコードエレメント（２）を少なくとも１つの第１の部分コードエレメント（２１）と１つの第２の部分コードエレメント（２２）とに分割し、前記第２の部分コードエレメント（２２）及び前記第２の部分コードエレメント（２２）へのアクセスに寄与する前記第２のコードエレメント（３）又は割り当てられた第２のコード（３０）を内部又は外部の前記データベース（６３）に記憶し、前記第１の部分コードエレメント（２１）及び／又は前記第２のコードエレメント（３）を前記オブジェクト（１）上に配置するために前記サーバ（６）から受信する、
ように設計される、ことを特徴とする請求項４９に記載の個別化装置（７）。
【請求項５１】
前記個別化装置（７）は、前記第１のコードエレメント（２）を前記少なくとも１つの第１の部分コードエレメント（２１）と前記第２の部分コードエレメント（２２）とに分割し、前記第２の部分コードエレメント（２２）及び前記第２の部分コードエレメント（２２）へのアクセスに寄与する前記第２のコードエレメント（３）又は割り当てられた第２のコード（３０）を内部又は外部の前記データベース（６３）に記憶するように、設計される、ことを特徴とする請求項４９に記載の個別化装置（７）。
【請求項５２】
オブジェクト（１）を認証するための、特に請求項１〜４５のいずれかに記載の方法を実行するためのリーダ（５）であって、
前記リーダ（５）は、少なくとも１つの第１の部分コードエレメント（２１）及び１つの第２のコードエレメント（３）を共に機械的にキャプチャするように設計され、
前記少なくとも１つの第１の部分コードエレメント（２１）は、第１のコードエレメント（２）を前記第１の部分コードエレメント（２１）と１つの第２の部分コードエレメント（２２）とに分割することにより形成され、データベース（６３）に記憶される、ことを特徴とするリーダ（５）。
【請求項５３】
前記リーダ（５）は、
前記リーダ（５）による前記第１の部分コードエレメント（２１）及び前記第２のコードエレメント（３）の機械的なキャプチャを含むデータをサーバ（６）に送信し、前記リーダ（５）によってキャプチャされたデータから前記第１の部分コードエレメント（２１）及び前記第２のコードエレメント（２２）が前記サーバにより抽出され、
前記第２のコードエレメント（３）をキーとして使用して、記憶された前記第２の部分コードエレメント（２２）にアクセスし、
抽出された前記第１の部分コードエレメント（２１）と、前記記憶された第２の部分コードエレメント（２２）とをマージした結果生じるコードエレメント（２３）が前記第１のコードエレメント（２）に対応することを確認する、
ように設計される、ことを特徴とする請求項５２に記載のリーダ（５）。
【請求項５４】
前記リーダ（５）は、
前記リーダ（５）によってキャプチャされたデータから前記第１の部分コードエレメント（２１）及び前記第２のコードエレメント（３）を抽出し、
前記第２のコードエレメント（３）をキーとして、記憶された前記第２の部分コードエレメント（２２）にアクセスし、
抽出された前記第１の部分コードエレメント（２１）と前記記憶された第２の部分コードエレメント（２２）とをマージした結果得られるコードエレメント（２３）が前記第１のコードエレメント（２）に対応するか否かを確認する、
ように設計される、ことを特徴とする請求項５２に記載のリーダ（５）。
【請求項５５】
有価文書、ＩＤドキュメント及び製品を保護するためのセキュリティエレメント、特に請求項１〜４５のいずれかに記載の方法において使用するためのセキュリティエレメントであって、
前記セキュリティエレメント（１）は、少なくとも１つの第１の部分コードエレメント（２１）及び／又は１つの第２のコードエレメント（３）を有し、
前記少なくとも１つの第１の部分コードエレメント（２１）は、第１のコードエレメント（２）を前記第１の部分コードエレメント（２１）と１つの第２の部分コードエレメント（２２）とに分割することによって形成されて、データベース（６３）に記憶され、
リーダ（５）による前記第１の部分コードエレメント（２１）及び前記第２のコードエレメント（３）の共同の機械的なキャプチャ及び前記リーダ（５）がキャプチャしたデータからの前記第１の部分コードエレメント（２１）及び前記第２のコードエレメント（３）の抽出により、抽出された前記第１の部分コードエレメント（２１）と記憶された前記第２の部分コードエレメント（２２）とをマージした結果得られるコードエレメント（２３）が前記第１のコードエレメント（２）に対応するか否かを確認できるように、前記第１の部分コードエレメント（２１）及び／又は前記第２のコードエレメント（３）が前記セキュリティエレメント（１）内及び／又は前記セキュリティエレメント（１）上に配置される、ことを特徴とするセキュリティエレメント。
【請求項５６】
請求項５５に記載のセキュリティエレメント（１）を有する、特に紙幣、ＩＤドキュメント又は有価文書であるセキュリティドキュメント（１００）。
【発明の詳細な説明】
【技術分野】
【０００１】
本発明は、オブジェクト、特に、有価文書、ＩＤドキュメント及び製品を保護するためのセキュリティエレメントを認証する方法に関する。本発明はさらに、このような方法のためのセキュリティエレメント、セキュリティドキュメント、リーダ、個別化装置及びサーバに関する。
【背景技術】
【０００２】
通常、セキュリティドキュメント及び製品を認証するため物理的な特徴部が使用される。物理的な特徴部は、例えば、セキュリティプリント、及び／又は、異なる観察角度及び／又は照明角度で異なる光学的効果を示す光学的に可変なセキュリティエレメントからなる。そのようなセキュリティエレメントは、通常、観察者によって視覚的に検証することができる独自に定義された光学的な設計を有する。
【０００３】
さらに、機械可読光学マーキングを有するセキュリティエレメントを提供することが知られている。例えば、国際公開第２０１２／０００６３１Ａ２号パンフレットは、個別化された機械可読光学的マーキングを有する光学的可変セキュリティエレメントを記載している。このようなセキュリティエレメントを使用することにより、個別化された機械可読マーキングを読み取ることによってオブジェクトの真正性をさらに検査することができ、したがって、偽造に対する保護がさらに改善される。
【発明の概要】
【発明が解決しようとする課題】
【０００４】
しかし、そのような光学的マーキングを読み取り可能なリーダが普及してきたため、アクセスを許容する光学的マーキングの偽造が容易になっていることが問題となっている。
【０００５】
本発明の目的は、偽造に対する保護を改善することである。
【課題を解決するための手段】
【０００６】
この目的は、オブジェクト、特に有価文書、ＩＤドキュメント及び製品を保護するためのセキュリティエレメントを認証する方法によって実現する。この方法は、第１のコードエレメントを少なくとも１つの第１の部分コードエレメントと１つの第２の部分コードエレメントとに分割するステップと、前記第２の部分コードエレメントを記憶するステップと、前記第１の部分コードエレメント及び／又は第２のコードエレメントをオブジェクト上及び／又はオブジェクト内に配置するステップと、前記第１の部分コードエレメント及び前記第２のコードエレメントをリーダにより共に機械的にキャプチャするステップと、前記リーダによりキャプチャされたデータから前記第１の部分コードエレメント及び前記第２のコードエレメントを抽出するステップと、前記第２のコードエレメントをキーとして使用して記憶された前記第２の部分コードエレメントにアクセスするステップと、抽出された前記第１の部分コードエレメントと前記記憶された第２の部分コードエレメントとをマージした結果生じるコードエレメントが前記第１のコードエレメントと対応するか否かを確認するステップと、を含む。
【０００７】
さらに、この目的は、少なくとも１つの第１の部分コードエレメント及び／又は１つの第２のコードエレメントを有する、有価文書、ＩＤドキュメント及び製品を保護するためのセキュリティエレメントによって実現する。ここで、第１の部分コードエレメントは、第１のコードエレメントを、少なくとも１つの第１の部分コードエレメントと、１つの第２の部分コードエレメントとに分割することによって形成され、データベースに格納される。リーダによる第１の部分コードエレメント及び第２のコードエレメントの共同の機械的なキャプチャ並びにリーダがキャプチャしたデータからの第１の部分コードエレメント及び第２のコードエレメントの抽出により、抽出された第１の部分コードエレメントと記憶された第２の部分コードエレメントとをマージ（統合）した結果得られるコードエレメントが第１のコードエレメントに対応するか否かを確認できるように、第１の部分コードエレメント及び／又は第２のコードエレメントがセキュリティエレメント内及び／又はセキュリティエレメント上に配置される。
【０００８】
さらに、上記目的は、オブジェクトを認証するためのサーバによって実現する。このサーバは、第１のコードエレメントを少なくとも１つの第１の部分コードエレメントと１つの第２の部分コードエレメントとに分割するように設計される。第２の部分コードエレメント及び第２の部分コードエレメントへのアクセスのための第２のコードエレメント又は第２のコードエレメントに割り当てられた第２のコードは、サーバによって内部又は外部のデータベースに格納される。第１の部分コードエレメント及び／又は第２のコードエレメントは、オブジェクト上に第１の部分コードエレメント及び／又は第２のコードエレメントを配置するためサーバによって個別化装置に送信される。
【０００９】
上記目的は、さらに、以下のように設計された、オブジェクトを認証するためのサーバによって実現する。このサーバは、リーダによる第１の部分コードエレメント及び第２のコードエレメントの共同の機械的なキャプチャを含むデータをリーダから受ける。第１の部分コードエレメント及び第２のコードエレメントは、リーダによりキャプチャされたデータからサーバによって抽出される。サーバは、第２のコードエレメントをキーとして、記憶された第２の部分コードエレメントにアクセスする。さらに、抽出された第１の部分コードエレメントと、記憶された第２の部分コードエレメントとをマージした結果得られるコードエレメントが、第１のコードエレメントに対応するか否かを確認する。
【００１０】
さらに、上記目的は、オブジェクトを認証するためのリーダによって実現する。このリーダは、特にオブジェクト内及び／又はオブジェクト上に配置された少なくとも１つの第１の部分コードエレメント及び１つの第２のコードエレメントを共に機械的にキャプチャするように設計されている。第１の部分コードエレメントは、第１のコードエレメントを少なくとも１つの第１の部分コードエレメントと、１つの第２の部分コードエレメントとに分割することによって形成され、データベースに格納される。記憶された第２の部分コードエレメントへのアクセスは、第２のコードエレメントをキーとして使用することにより実行可能である。
【００１１】
さらに、上記目的は、オブジェクトを個別化するための個別化装置によって実現する。個別化装置は、少なくとも１つの第１の部分コードエレメント及び／又は１つの第２のコードエレメントをオブジェクト内及び／又はオブジェクト上に配置するように設計される。第１の部分コードエレメントは、第１のコードエレメントを少なくとも１つの第１の部分コードエレメントと、１つの第２の部分コードエレメントとに分割することによって形成され、データベースに格納される。記憶された第２の部分コードエレメントへのアクセスは、第２のコードエレメントをキーとして使用することにより実行可能である。
【００１２】
本発明の有利な実施例は従属項に記載されている。
【００１３】
好ましくは、第１のコードエレメントは、一連の英数字、一連の数字、バーコード、特に二次元バーコード又はＱＲコード（登録商標）（クイックレスポンスコード）及び／又は単色又は多色の画像、特にグラフィック又はトゥルーカラー画像から形成される。ここで、第１のコードエレメントは、前記の構成要素のうち一つ又は複数の構成要素を含んでいてもよく、したがって、例えば、トゥルーカラー画像と組み合わされた一連の英数字あるいは二次元バーコードと組み合わされたグラフィックを含んでいてもよい。
【００１４】
同様に、第２のコードエレメントは、好ましくは、一連の英数字、一連の数字、バーコード、特に二次元バーコード又はＱＲコード及び／又は単色又は多色画像、特にグラフィック又は多色画像又はトゥルーカラー画像からなる。
【００１５】
第２のコードエレメントは、前記構成要素を組み合わせたものを含んでいてもよい。
【００１６】
好ましくは、第１のコードエレメント及び第２のコードエレメントは、前記構成要素のうち異なる構成要素からなる。例えば、第１のコードエレメントは、グラフィック又はトゥルーカラー画像からなり、第２のコードエレメントは、一連の英数字又はＱＲコードからなる。
【００１７】
第１のコードエレメント及び第２のコードエレメントに使用される構成要素を前述のように選択することにより、偽造に対する保護をさらに改善することができる。したがって、特に、単色又は多色の画像がコードエレメントとして使用される場合、コードエレメントの特徴が偽造者にとって不明瞭となるとともに、偽造者にとってコードエレメントの模倣がより困難なものとなり、コードエレメントをキャプチャするための一般的な方法を使用できなくなる。
【００１８】
好ましくは、第１の部分コードエレメント及び第２のコードエレメントは、オブジェクト上及び／又はオブジェクト内に互いに隣接して配置される。ここで、第１の部分コードエレメント及び第２のコードエレメントは、好ましくは、１ｍｍ〜５０ｍｍ、好ましくは１ｍｍ〜２５ｍｍ、特に好ましくは１ｍｍ〜１５ｍｍに亘って互いに離間して配置される。
【００１９】
好ましくは、第１の部分コードエレメント及び第２のコードエレメントは、オブジェクト上及び／又はオブジェクト内で水平方向又は垂直方向に互いに面一に配置される。このような配置により、後の第１の部分コードエレメントと第２のコードエレメントとの抽出又は分離が容易なものとなる。
【００２０】
本明細書において、離間とは、互いに最小の距離を有する第１の部分コードエレメントの点と第２のコードエレメントの点との間隔を意味する。
【００２１】
２つのコードエレメントの前記配置は、互いに対するコードエレメントの配置が認証プロセスにさらに含まれ得ることを保証する。さらに、２つのコードエレメントを相互に保護することができる。これは、コードエレメントの一方が偽造者によって操作されると、通常、他方のコードエレメントにも影響が及ぶので容易に偽造を検出することができるためである。
【００２２】
好ましくは、第１の部分コードエレメント及び第２のコードエレメントは、横方向寸法が、２５ｍｍ〜１００ｍｍ、好ましくは５０ｍｍ〜２５０ｍｍ、特に好ましくは５０ｍｍ〜１５０ｍｍである領域内に配置される。
【００２３】
本明細書において、横方向寸法とは、オブジェクトの表面に亘る平面内における寸法を意味する。したがって、例えば、オブジェクトが、製品を保護するためのセキュリティエレメント、例えば、ラベル又はフィルムから形成される場合、横方向寸法は、ラベル又はフィルムを上面から見たときの長さ及び／又は幅寸法である。
【００２４】
好ましくは、第１の部分コードエレメント及び第２のコードエレメントは共に、リーダによって光学的にキャプチャされる。したがって、例えば、第１の部分コードエレメント及び第２の部分コードエレメントを光学的にキャプチャするためにカメラを使用してもよい。
【００２５】
キャプチャの間、リーダは、好ましくは、第１の部分コードエレメント及び第２のコードエレメントを含むオブジェクトの領域の光学コピーを含む画像データセットを生成する。
【００２６】
画像データセットは、黒／白又はグレースケール又はカラー情報としてビットマップデータを含んでいてもよい。画像データセットは、ビットマップデータの代わりに又はビットマップデータに加えて、ベクトル情報又は付加的な制御情報又はメタ情報も含んでいてもよい。
【００２７】
画像データセットは、好ましくは、リーダによって通信ネットワークを介してサーバに送信される。これにより、リーダが第１の部分コードエレメント及び第２のコードエレメントを画像データセットから抽出する負荷から解放されるという利点がもたらされる。さらに、上記事項により、第１の部分コードエレメント及び第２のコードエレメントを共通のデータセットから抽出することを可能にする情報、例えば、互いに対する第１の部分コードエレメント及び第２のコードエレメントのサイズ寸法及び／又は配置についての対応する仕様についての情報をリーダでは利用できないという利点がもたらされる。したがって、偽造者が盗んだリーダを用いたとしても、キャプチャされたデータから第１の部分コードエレメント及び第２のコードエレメントを抽出することは困難である。
【００２８】
第１の部分コードエレメント及び第２のコードエレメントの抽出及び確認は、好ましくは、サーバによって実行される。その後、確認結果が通信ネットワークを介してリーダに送信される。
【００２９】
画像データセットからの第１の部分コードエレメント及び第２のコードエレメントの抽出は、好ましくは、画像、コード及び／又はテキスト認識を実行することによって行われる。この抽出は、好ましくは、オブジェクト上又はオブジェクト内の第１の部分コードエレメント及び第２のコードエレメントの配置及び横方向の広がり並びに使用するコードエレメントのタイプ（すなわちコードエレメントが例えば一連の英数字、バーコード又は画像であるか否か）の認識を用いて行われる。
【００３０】
したがって、コードエレメントが例えば一連の英数字である場合、例えばコードエレメントの配置により対応するコードエレメントに割り当てられた画像データセットの領域に亘ってテキスト認識を実行することにより画像データセットからのコードエレメントの抽出が行われる。コードエレメントが例えばバーコードである場合、コードエレメントに割り当てられた画像データセットの領域に亘ってコード認識、例えばバーコード認識を実行することによりコードエレメントの抽出が行われる。コードエレメントが画像である場合、例えば、画像処理及び／又は画像認識アルゴリズムによって、コードエレメントに割り当てられた画像データセットの対応する部分領域が画像データセットから抽出される。
【００３１】
本発明の好ましい実施例によれば、第１のコードエレメントの分割及びその後の確認は、以下に説明するように行われる。
【００３２】
第１のコードエレメントを少なくとも１つの第１の部分コードエレメントと第２の部分コードエレメントとに分割することは、好ましくは、テンプレートを適用することによって行われる。その手順は、好ましくは、以下の通りである。
【００３３】
最初に、第１のコードエレメントが生成される。第１のコードエレメントの生成は、好ましくは、第１のコードエレメントが全単射の第１のコードを含むか又は全単射の第１のコードを形成するように行われる。
【００３４】
全単射とは、コードが、各々の場合において、一組中１回だけ割り当てられることを意味する。これは、最も単純な場合、シリアル番号の生成又はこの特性を有する乱数ジェネレータによってもたらされる。
【００３５】
したがって、例えば、まず、全単射の第１のコード、例えば一連の英数字が生成される。次いで、この全単射の第１のコードは、例えば、第１のコードエレメントを形成する２次元バーコードに変換される。さらに、第１のコードエレメントは、好ましくはランダムに選択された又は修正された単色又は多色画像、例えばグラフィック又はトゥルーカラー画像からなってもよい。例えば、ランダムに選択された第１のコードによって修正パラメータを特定することができる。
【００３６】
さらに、例えば、ランダムに選択された一連の英数字が第１のコードエレメントとして使用されてもよく、したがって、第１のコードと第１のコードエレメントとが一致する。
【００３７】
さらに、好ましくは、テンプレートの基準点及び第１のコードエレメントの基準点が決定される。この基準点は、例えば、テンプレート又は第１のコードエレメントの領域の中心である。
【００３８】
テンプレートは、好ましくは、ランダムに又は擬似ランダムに生成され、かつ／又は、予め定義されたテンプレートのセットからランダムに又は擬似ランダムに選択される。これにより、偽造に対する保護がさらに改善される。しかし、異なるオブジェクトにそれぞれ付与された第１のコードエレメントのグループ全体を分割するため同一のテンプレートを用いてもよい。
【００３９】
第１のコードエレメントへのテンプレートの適用は、好ましくは、第１のコードエレメントの基準点及び／又はテンプレートの基準点に基づいて実行される。これは、テンプレートが第１のコードエレメントの部分領域のみをカバーし、第１のコードエレメントの全体について均一なフィルタ基準を規定しない場合に有利である。
【００４０】
本発明の好ましい実施例によれば、テンプレートは、以下のように第１のコードエレメントに適用される。
【００４１】
テンプレートは、第１のコードエレメントと重ね合わされる。好ましくは、この重ね合わせは、第１のコードエレメントの基準点及びテンプレートの基準点をカバーするように行われ、すなわち、コードエレメント上のテンプレートの位置決めが両基準点の位置によって定まるように行われる。
【００４２】
第１のコードエレメントの分割のため、テンプレート及び第１のコードエレメントが重ね合わされていない第１のコードエレメントの部分領域が、第１の部分コードエレメントに割り当てられる。さらに、テンプレートと第２のコードエレメントとが重ね合わされた第１のコードエレメントの部分領域が第２のコードエレメントに割り当てられる。この割り当てを逆に行ってもよい。すなわち、テンプレートがコードエレメントに重ね合わされていない部分領域が第２の部分コードエレメントに割り当てられ、残りの部分領域が第１の部分コードエレメントに割り当てられる。
【００４３】
このようなテンプレートの適用により、比較的少ない計算コストで、偽造に対する非常に高いレベルの保護が実現されることが研究により分かった。この手法では、既知の暗号化方法が使用されず、全く異なるアプローチにより偽造に対する高レベルの保護が得られるため、通常の方法による偽造は問題にならない。
【００４４】
さらに有利には、テンプレートが、好ましくは位置に応じて一つ又は複数のフィルタ基準を規定する光学フィルタ機能部から形成される。このようなフィルタ基準は、例えば、明度値、コントラスト値、色値、スペクトル領域及び／又は偏光から選択される。
【００４５】
好ましくは、テンプレートは、例えば、第１の符号エレメントの１つのスペクトル成分を第１の部分符号エレメントに割り当て、第１の符号エレメントの残りのスペクトル成分を第２の部分符号エレメントに割り当てる光学フィルタ機能部からなる。したがって、例えば、第１のコードエレメントが、カラーチャネルＲＧＢ（Ｒ＝赤、Ｇ＝緑、Ｂ＝青）を有する多色画像又はトゥルーカラー画像から形成される場合、例えば、赤チャネルを第１の部分コードエレメントに割り当て、残りのチャネル、したがって、緑チャネル及び青チャネルを第２の部分コードエレメントに割り当てもよい。したがって、この場合、テンプレートは、位置とは無関係にフィルタ基準として、赤色スペクトル領域、したがって、ＲＧＢ画像の赤色チャネルを規定するフィルタ機能部からなる。
【００４６】
しかし、フィルタ基準は、位置とは無関係に規定されるのではなく、位置に基づいて規定されることが好ましい。このため、例えば、前述した赤、緑、青のチャネルの分割は、テンプレートにより規定された領域においてのみ行われるが、残りの領域においては、このような分割や他の分割は行われない。例えば、青チャネルを第１の部分コードエレメントに割り当て、赤チャネル及び緑チャネルをテンプレートによって第２の部分コードエレメントに割り当ててもよい。
【００４７】
したがって、有利には、テンプレートが第１のコードエレメントに適用されるときに、テンプレートのフィルタ機能部が第１のコードエレメントに重ね合わされ、第１のコードエレメントの分割のために、位置に応じて又は位置とは無関係に、テンプレートの一つ又は複数のフィルタ基準によって決定される第１のコードエレメントのスペクトルの第１の部分が第１の部分コードエレメントに割り当てられ、残りの部分が第２の部分コードエレメントに割り当てられる。テンプレートをこのように適用する場合、さらに有利には、第１のコードエレメント及びテンプレートの基準点に基づいて重ね合わせが実行される。
【００４８】
多色又は多チャネル画像又はＲＧＢ画像の赤、緑及び青チャネルに基づくフィルタ基準の代わりに、これらの原色又はスペクトル色に適合しない他のスペクトルフィルタ機能部を使用してもよい。これにより、偽造に対する保護を著しく向上させることができる。
【００４９】
さらに、フィルタ基準の「色値」又は「スペクトル領域」の代わりに、上記のフィルタ基準における他の基準を同様に使用するか、あるいはフィルタ基準における複数の基準を組み合わせて使用してもよい。これにより、偽造に対する保護を著しく向上させることができる。
【００５０】
さらに有利には、テンプレートが第１のコードエレメントに適用されるとき、テンプレートのフィルタ機能部が第１のコードエレメントと重ね合わされ、第１のコードエレメントの分割のため、位置に応じて、第１のコードエレメントのそれぞれの画像点が、一つ又は複数のフィルタ基準が満たされるか否かに応じて、第１の部分コードエレメント又は第２の部分コードエレメントに割り当てられる。したがって、例えば、フィルタ基準により特定された明度値未満の明度値を有する全ての画像点を第１の部分コードエレメントに割り当て、残りの画像点を第２の部分コードエレメントに割り当ててもよい。さらに、例えば、赤チャネルの割合がフィルタ基準により設定された値を超える画像点を第１の部分コードエレメントに割り当て、残りの画像点を第２の部分コードエレメントに割り当ててもよい。これらのフィルタ基準は、所望に応じて、互いに組み合わされてもよいし、前述のテンプレートの適用例と組み合わせてもよい。
【００５１】
さらに、テンプレートが第１のコードエレメントの部分領域のみに重ね合わさるように、好ましくは第１のコードエレメントの表面積の２５％〜７５％、好ましくは４０％〜６０％に重ね合わさるように、テンプレート又は基準点を選択することが有利であることが分かった。これにより、偽造に対する保護をさらに向上させることができる。
【００５２】
さらに、重ね合わせの際にテンプレートが第１のコードエレメントの表面領域内に完全に配置されるように、テンプレートが生成され、第１のコードエレメントに重ね合わされることが有利であることが分かった。これにより、偽造に対する保護がさらに改善される。
【００５３】
好ましくは、テンプレートは、第１のコードエレメントの全単射がもはや存在しないように、第１のコードエレメントと重ね合わされる。これにより、有利には、第１に、暗号化法を用いても第１のコードエレメントを推定するが不可能であり、対応して設計されたリーダを使用した場合であっても単にエラーメッセージが生じるだけである。したがって、偽造に対する保護がさらに改善される。
【００５４】
テンプレートの第１のコードエレメントへの適用は、特に、各々の場合において、第１のコードエレメントの電子表現へのテンプレートの電子表現として行われる。そのような電子表現は、例えば、各々の画像データセットの形態で存在する。つまり、特に、電子アルゴリズム、例えばフィルタ、画像処理及び画像認識アルゴリズムが電子表現に適用され、処理結果により、再び電子表現が表わされる。
【００５５】
第１の部分コードエレメントと、記憶された第２の部分コードエレメントとのマージ（統合）は、好ましくは、テンプレートの基準点と第１のコードエレメントの基準点とに基づいて、抽出された第１の部分コードエレメントと、記憶された第２の部分コードエレメントとを重ね合わせることによって実行されることが好ましい。したがって、例えば、第１の部分コードエレメント及び記憶された第２の部分コードエレメントに対応する画像データセットは、基準点の重なりに基づいて対応して重ね合わされ、したがって、マージの結果得られる対応の画像データセットが生成される。
【００５６】
第１の部分コードエレメントと、記憶された第２の部分コードエレメントとのマージは、特に、第１の部分コードエレメントと記憶された第２の部分コードエレメントとの電子表現によっても行われ、マージの結果、再び電子表現が表わされる。
【００５７】
マージの結果得られるコードエレメントが第１のコードエレメントに対応するか否かの確認は、好ましくは、以下のように実行される。
【００５８】
例えば、第１のコードエレメントが一連の英数字又はバーコードである場合、手順は以下の通りである。テキスト認識、例えばＯＣＲ認識又はマージに対応する画像データセット上のバーコード認識を実行することによって、一連の英数字の又はバーコードに対応する一連の英数字が決定される。この一連の文字を、第１のコードに対応する一連の英数字又は第１のコードエレメントに対応する一連の英数字と比較することによって確認が行われる。さらに、以下にさらに説明するように、一連の英数字のチェックサムを比較することにより確認を行ってもよい。
【００５９】
第１のコードエレメントが画像又はグラフィックである場合、手順は以下の通りである。マージに対応する画像データセットに対して画像認識を実行することにより、１つ又は複数の特定の特性値及び／又は特徴画像エレメントが画像処理又は画像認識アルゴリズムによって決定される。これらは、確認のため第１のコードエレメントを指定する対応する特性値と比較される。特性値は、第２の部分コードエレメントのデータベースに記憶される。しかし、第２の部分コードエレメントについてデータベースに記憶されている第１のコードエレメントの対応する画像データセットとマージに対応する画像データセットとの詳細な画像比較を行ってもよい。
【００６０】
チェックサムを用いて確認を行うと特に有利である。
【００６１】
したがって、第１のコードエレメント又は第１のコードのチェックサムが確認され、このチェックサムが第２の部分コードエレメントについて又は第２の部分コードエレメントの一部として記憶されることが好ましい。したがって、第１のコードエレメントは、一連の英数字からなる場合、例えば、対応するチェックサムが計算され、第２の部分コードエレメントについて又は第２の部分コードエレメントの一部として記憶される。第１のコードエレメントが、例えば、第１のコードを指定する一連の英数字を表すバーコードからなる場合、第１のコードについてチェックサムが計算され、次に、第２の部分コードエレメントの一部として又は第２の部分コードエレメントについて記憶される。さらに、画像から形成されるコードエレメントに基づいて、対応するチェックサムを計算し、その後、これに応じて続行してもよい。
【００６２】
抽出された第１の部分コードエレメントと、記憶された第２の部分コードエレメントとをマージした結果得られるコードエレメントが第１のコードエレメントに対応するか否かの確認を行う手順は以下の通りである。
【００６３】
まず、マージの結果得られたコードエレメントのチェックサムを確認する。このチェックサムは、第２の部分コードエレメントについて又は第２の部分コードエレメントの一部として記憶されたチェックサムと比較される。第１のコードエレメントが、例えば、一連の英数字からなる場合、マージ後に生じる一連の英数字のチェックサムが計算され、比較される。コードエレメントがバーコードである場合、バーコード認識がマージに関して実行された後、結果として得られる一連の英数字が確認され、これからチェックサムが計算され、記憶されたチェックサムと比較される。これは、第１のコードエレメントとしての画像の使用に対応して適用される。
【００６４】
本方法は、好ましくは、第１及び／又は第２のコードエレメントの生成をさらに含む。
【００６５】
好ましくは、第１又は第２のコードエレメントは、例えば、対応するランダム生成器によって全単射的に生成されるか、あるいは一連の数字又は英数字の形態で生成される。
【００６６】
さらに、第２のコードエレメントの生成は、以前に決定された第１又は第２のコードに基づいて行ってもよい。したがって、例えば、前述のように、全単射的な第１又は第２のコードを一連の英数字の形で生成し、当該コードから、第２のコードエレメント、例えば、バーコード又は対応する（修正された）画像を生成することができる。
【００６７】
第２のコードエレメントは、記憶された第２の部分コードエレメントを見つけるか、又は一意的に参照するように機能する。次に、第２のコードエレメントを直接又は間接的に使用することによって、記憶されたデータへのアクセスが行われる。例えば、第１のコードエレメントを、メモリ、特にデータベース内の第２の部分コードエレメントを見つけるために使用される第１のコード及び／又はそれに割り当てられたキーに変換することによって行われる。
【００６８】
好ましくは、第２のコードエレメント、第２のコード又は第２のコードに割り当てられたキーは、データベースに記録される。さらに、割り当てられた第２の部分コードエレメント、任意選択で第１のコードエレメントの基準点、任意選択でテンプレートの基準点及び任意選択で確認に使用されるさらなる情報項目が記憶される。これらは、前述したように、例えば、第１のコード又は第１のコードエレメント、第１のコード又は第１のコードの対応するチェックサム、あるいは第１のコードエレメント又は第１のコードを特定する特性値の対応するセットから形成され得る。
【００６９】
これらのデータは、好ましくは、データベース内の共通のデータセットに記憶される。
【００７０】
前述したように、第１の部分コードエレメント及び／又は第２のコードエレメントは、好ましくは、共通のオブジェクト、特にセキュリティエレメント又は有価文書に適用される。しかし、共同の機械的なキャプチャまで、第１の部分コードエレメント及び第２のコードエレメントを対応して互いに隣接して配置しなくてもよい。
【００７１】
好ましくは、第１の部分コードエレメント及び／又は第２のコードエレメントは、オブジェクトの少なくとも１つのフィルムエレメントに導入され、かつ／又は適用される。フィルムエレメントへの導入は、第１の部分コードエレメント又は第２のコードエレメントに直接アクセスできず、偽造及び模倣が著しく困難になるため好ましい。
【００７２】
偽造に対する保護を向上させるため、フィルムエレメントは、以下のエレメントのうち一つ又は複数のエレメントを個別に又は組み合わせて含む一つ又は複数の層をさらに有することが好ましい。
【００７３】
これらの層は、好ましくは、光学活性レリーフ構造を含む。例えば、回折格子、ホログラム、ゼロ次回折構造、ブレーズド格子、マクロ構造、特にレンズ構造又はマイクロプリズム構造、ミラー表面、艶消し（マット）構造、特に異方性又は等方性艶消し構造が提供されることが好ましい。さらに、これらの層は、体積ホログラム、色変化効果を有する薄膜構造、液晶材料、好ましくはネマチック又はコレステリック液晶材料、染料及び／又は顔料、好ましくはリン光性顔料、発光顔料、サーモクロミック顔料及び／又は光学可変顔料から選択されるエレメントを個別に又は組み合わせて含むことが好ましい。
【００７４】
フィルムエレメントは、好ましくは、ホットスタンピングフィルム又はコールドスタンピングフィルムの転写プライから形成される。さらに、フィルムエレメントを積層フィルム又はセキュリティスレッドで形成してもよい。
【００７５】
第１の部分コードエレメント及び／又は第２のコードエレメントは、好ましくは、レーザによりフィルムエレメントに導入される。レーザにより、フィルムエレメントの一つ又は複数の層は、好ましくは、それらの光学特性を変化させるため、所定の領域において除去、穿孔又は励起される。
【００７６】
さらに、有利には、第１の部分コードエレメント及び／又は第２のコードエレメントが、デジタル印刷プロセス、特にインクジェット印刷又は熱転写印刷によってフィルムエレメントに導入される。ここで、一つ又は複数の個別化された層は、好ましくは、フィルムエレメントをオブジェクトに適用する前に、上記の印刷プロセスによってフィルムエレメント上に刷り重ねられる（オーバープリントされる）。これにより、第１の部分コードエレメント又は第２のコードエレメントがフィルムエレメントの層系の内側深くに配置され、その結果、偽造又は模倣が極めて困難になる。
【００７７】
さらに、第１の部分コードエレメント及び／又は第２のコードエレメントを、デジタル印刷プロセス、特にインクジェット印刷又は熱転写印刷によって、フィルムエレメントに適用してもよい。この刷り重ねは、フィルムエレメントをオブジェクトに適用する前又は後に行われる。一つ又は複数の個別化された層は、上記印刷プロセスによってフィルムエレメントに適用され、特にフィルムエレメントの適用後に刷り重ねられる。
【００７８】
さらに転写フィルムからフィルムエレメントを個別に打ち抜くことによって、第１の部分コードエレメント及び／又は第２のコードエレメントを導入してもよい。このため、個別化された接着剤層は、好ましくは、オブジェクトへの転写プライの転写中にデジタル印刷プロセスによって転写フィルム上に刷り重ねられる。転写の間、接着剤層が設けられた領域だけが、その後にオブジェクトに転写され、その結果、フィルムエレメントの形状が第１の部分コードエレメント及び／又は第２のコードエレメントに対応する。このための接着剤層として、ＵＶ（紫外線）硬化性接着剤層を使用することが好ましい。
【００７９】
フィルムエレメントは、好ましくは、特に接着剤層によりオブジェクトのキャリア基板の表面上に固定される。
【００８０】
さらに、フィルムエレメントを、特にセキュリティスレッドの形態で、さらに好ましくはウィンドウ（窓付き）セキュリティスレッドの形態で、オブジェクトのキャリア基板に導入することが有利である。このため、フィルムエレメントは、好ましくは、セキュリティスレッドの形態で見当合わせされてキャリア基板に導入される。反射光の観察により第１の部分コードエレメント及び／又は第２のコードエレメントが容易に認識されるキャリア基板の領域に第１の部分コードエレメント及び第２のコードエレメントが設けられるように、上記導入が行われる。この容易な認識は、例えば、上記領域におけるキャリア基板の層厚を、例えば、窓又は半窓により減少させることによって実現する。このため、セキュリティスレッドの表面はキャリア基板の材料で覆われない。
【００８１】
見当若しくは見当合わせ、又は見当精度若しくは見当合わせ精度とは、互いに対する２つ以上のエレメント及び／又は層の位置精度を意味する。見当精度は、可能な限り小さくすべき所定の許容範囲である。同時に、いくつかのエレメント及び／又は層の互いに対する見当精度は、プロセスの安定性を高めるために重要な特徴である。位置的に正確な位置決めは、特に、感覚的な、好ましくは光学的に検出可能な見当マーク又は見当合わせマークによって行うことができる。これらの見当マーク又は見当合わせマークは、特別な個別のエレメント又は領域又は層を表すことができ、あるいはそれら自体が、位置決めされるエレメント又は領域又は層の一部となり得る。
【００８２】
さらに、第１の部分コードエレメント及び／又は第２のコードエレメントを、デジタル印刷プロセス、特にインクジェット印刷又は熱転写印刷によって、オブジェクト又はオブジェクトのキャリア基板に適用してもよい。さらに、第１の部分コードエレメント及び／又は第２のコードエレメントは、レーザによってオブジェクト又はオブジェクトのキャリア基板に導入してもよい。
【００８３】
好ましくは、第１の部分コードエレメント及び第２のコードエレメントは、異なるプロセスによってオブジェクト内及び／又はオブジェクト上に配置される。したがって、例えば、第２のコードエレメントが、デジタル印刷プロセスによってキャリア基板上に刷り重ねられ、第１の部分コードエレメントが、キャリア基板内又はキャリア基板に適用されるフィルムエレメントに導入されてもよい。代替例として、例えば、第１の部分コードエレメントが、デジタル印刷プロセスによってキャリア基板上に刷り重ねられ、第２のコードエレメントが、キャリア基板内又はキャリア基板に適用されるフィルムエレメントに導入されてもよい。これにより、偽造に対する保護がさらに著しく向上する。
【００８４】
いくつかの実施例を参照して、本発明を以下に説明する。
【図面の簡単な説明】
【００８５】
【図１ａ】セキュリティエレメントの概略上面図を示している。
【図１ｂ】図１ａに示したセキュリティエレメントの概略断面図を示している。
【図２ａ】オブジェクトの概略上面図を示している。
【図２ｂ】図２ａに示したオブジェクトの概略断面図を示している。
【図２ｃ】図２ａに示したオブジェクトの概略断面図を示している。
【図３】認証方法を実行するためのシステムの概略図を示している。
【図４ａ】フロー図を示している。
【図４ｂ】フロー図を示している。
【図５ａ】第１及び第２のコードエレメント、第１のコードエレメントの第１の部分コードエレメント及び第２の部分コードエレメントへの分割、第１の部分コードエレメントと第２の部分コードエレメントとのマージを概略的に示している。
【図５ｂ】第１及び第２のコードエレメント、第１のコードエレメントの第１の部分コードエレメント及び第２の部分コードエレメントへの分割、第１の部分コードエレメントと第２の部分コードエレメントとのマージを概略的に示している。
【図５ｃ】第１及び第２のコードエレメント、第１のコードエレメントの第１の部分コードエレメント及び第２の部分コードエレメントへの分割、第１の部分コードエレメントと第２の部分コードエレメントとのマージを概略的に示している。
【図５ｄ】第１及び第２のコードエレメント、第１のコードエレメントの第１の部分コードエレメント及び第２の部分コードエレメントへの分割、第１の部分コードエレメントと第２の部分コードエレメントとのマージを概略的に示している。
【図５ｅ】第１及び第２のコードエレメント、第１のコードエレメントの第１の部分コードエレメント及び第２の部分コードエレメントへの分割、第１の部分コードエレメントと第２の部分コードエレメントとのマージを概略的に示している。
【図５ｆ】第１及び第２のコードエレメント、第１のコードエレメントの第１の部分コードエレメント及び第２の部分コードエレメントへの分割、第１の部分コードエレメントと第２の部分コードエレメントとのマージを概略的に示している。
【図５ｇ】第１及び第２のコードエレメント、第１のコードエレメントの第１の部分コードエレメント及び第２の部分コードエレメントへの分割、第１の部分コードエレメントと第２の部分コードエレメントとのマージを概略的に示している。
【図５ｈ】第１及び第２のコードエレメント、第１のコードエレメントの第１の部分コードエレメント及び第２の部分コードエレメントへの分割、第１の部分コードエレメントと第２の部分コードエレメントとのマージを概略的に示している。
【図５ｉ】第１及び第２のコードエレメント、第１のコードエレメントの第１の部分コードエレメント及び第２の部分コードエレメントへの分割、第１の部分コードエレメントと第２の部分コードエレメントとのマージを概略的に示している。
【図５ｊ】第１及び第２のコードエレメント、第１のコードエレメントの第１の部分コードエレメント及び第２の部分コードエレメントへの分割、第１の部分コードエレメントと第２の部分コードエレメントとのマージを概略的に示している。
【図６ａ】第１及び第２のコードエレメント、第１のコードエレメントの第１の部分コードエレメント及び第２の部分コードエレメントへの分割、第１の部分コードエレメントと第２の部分コードエレメントとのマージを概略的に示している。
【図６ｂ】第１及び第２のコードエレメント、第１のコードエレメントの第１の部分コードエレメント及び第２の部分コードエレメントへの分割、第１の部分コードエレメントと第２の部分コードエレメントとのマージを概略的に示している。
【図６ｃ】第１及び第２のコードエレメント、第１のコードエレメントの第１の部分コードエレメント及び第２の部分コードエレメントへの分割、第１の部分コードエレメントと第２の部分コードエレメントとのマージを概略的に示している。
【図６ｄ】第１及び第２のコードエレメント、第１のコードエレメントの第１の部分コードエレメント及び第２の部分コードエレメントへの分割、第１の部分コードエレメントと第２の部分コードエレメントとのマージを概略的に示している。
【図６ｅ】第１及び第２のコードエレメント、第１のコードエレメントの第１の部分コードエレメント及び第２の部分コードエレメントへの分割、第１の部分コードエレメントと第２の部分コードエレメントとのマージを概略的に示している。
【図６ｆ】第１及び第２のコードエレメント、第１のコードエレメントの第１の部分コードエレメント及び第２の部分コードエレメントへの分割、第１の部分コードエレメントと第２の部分コードエレメントとのマージを概略的に示している。
【図７ａ】第１のコードエレメント、第１の部分コードエレメント、第２の部分コードエレメント及びセキュリティエレメントの構造を概略的に示している。
【図７ｂ】第１のコードエレメント、第１の部分コードエレメント、第２の部分コードエレメント及びセキュリティエレメントの構造を概略的に示している。
【図８ａ】第１の部分コードエレメントの第１及び第２の部分コードエレメントへの分割及び第１の部分コードエレメントと第２の部分コードエレメントとのマージを概略的に示している。
【図８ｂ】第１の部分コードエレメントの第１及び第２の部分コードエレメントへの分割及び第１の部分コードエレメントと第２の部分コードエレメントとのマージを概略的に示している。
【図８ｃ】第１の部分コードエレメントの第１及び第２の部分コードエレメントへの分割及び第１の部分コードエレメントと第２の部分コードエレメントとのマージを概略的に示している。
【図９ａ】第１の部分コードエレメントの第１及び第２の部分コードエレメントへの分割及び第１の部分コードエレメントと第２の部分コードエレメントとのマージを概略的に示している。
【図９ｂ】第１の部分コードエレメントの第１及び第２の部分コードエレメントへの分割及び第１の部分コードエレメントと第２の部分コードエレメントとのマージを概略的に示している。
【図９ｃ】第１の部分コードエレメントの第１及び第２の部分コードエレメントへの分割及び第１の部分コードエレメントと第２の部分コードエレメントとのマージを概略的に示している。
【発明を実施するための形態】
【００８６】
図１ａ及び図１ｂは、セキュリティドキュメント１００の構造を例示している。図１ａはセキュリティドキュメント１００の上面図であり、図１ｂはセキュリティドキュメント１００の断面図である。
【００８７】
セキュリティドキュメント１００は、好ましくは、ＩＤドキュメント、例えばパスポート、パスポートカード、又はアクセスカードからなる。しかし、セキュリティドキュメント１００は、有価文書、例えば、紙幣又は証券、クレジットカード、銀行カード又は製品を保護するためのラベルであってもよい。
【００８８】
セキュリティドキュメント１００は、キャリア基板１０と、一つ又は複数のセキュリティエレメントと、を有している。図１ａ及び図１ｂはセキュリティエレメント１を示している。
【００８９】
ここで、セキュリティエレメントは、セキュリティドキュメント１００のキャリア基板１０に適用されてもよく、又はセキュリティドキュメント１００のキャリア基板１０に埋め込まれてもよく、特に、完全に又は部分的に埋め込まれてもよい。
【００９０】
セキュリティエレメント１は、第１の部分コードエレメント２１と、第１のコードエレメント２と、を有する。これらのエレメントは、好ましくは、領域１４内において互いに隣接して配置される。
【００９１】
図１ａ及び図１ｂに示す実施例では、セキュリティエレメント１は、有価文書１００のキャリア基板１０に適用されるオーバープリント（刷り重ね）部１２及びフィルムエレメント１１から形成される。しかし、セキュリティエレメント１自体がキャリア基板を有してもよく、当該基板にオーバープリント部１２及びフィルムエレメント１１を適用してもよい。さらに、セキュリティエレメント１は、オーバープリント部又はフィルムエレメントのみで形成されてもよく、これを任意選択でキャリア基板にさらに適用してもよい。さらに、セキュリティエレメント１は、任意選択でさらにセキュリティエレメント１の独立したキャリア基板と組み合わせて、オーバープリント部１２が刷り重ねられるフィルムエレメント１１から形成されてもよい。
【００９２】
キャリア基板１０は、単層又は多層で形成される。一実施例では、キャリア基板１０は、２０μｍ〜２００μｍの厚さを有する紙基板、及び／又は、２０μｍ〜１０００μｍの厚さを有するプラスチック基板、好ましくは、ポリカーボネートフィルム又はＡＢＳフィルム又はＰＥＴフィルムを含む。さらに、キャリア基板１０は、一つ又は複数の保護層及び／又は複数の装飾層及び／又は一つ又は複数の接着促進層及び／又は一つ又は複数の機能層及び／又は複数のバリア層及び／又は一つ又は複数のセキュリティ特徴部を有していてもよい。キャリア基板１０は、例えば、情報が記憶される電子回路、特にＲＦＩＤチップを有していてもよい。
【００９３】
フィルムエレメント１１は、好ましくは、キャリア基板の製造とは独立して製造され、セキュリティドキュメント１００の製造中までキャリア基板１０に適用されないか、又はキャリア基板１０に埋め込まれないフィルムエレメントからなる。
【００９４】
フィルムエレメント１１は、好ましくは、転写フィルム、特にホットスタンピングフィルム又はコールドスタンピングフィルム又は積層フィルムの転写プライから形成される。ここで、フィルムエレメント１１は、セキュリティドキュメントの表面を完全に覆うことができ、かつ／又は、例えば図１ａによるフィルムエレメント１１の場合に提供されるように、例えば、ストリップ又はパッチの形態で、セキュリティドキュメントを部分的に覆う。
【００９５】
フィルムエレメント１１は、好ましくは、一つ又は複数の保護層１１１、一つ又は複数の装飾層１１２、及び一つ又は複数の接着剤又は接着促進層１１３を有する。
【００９６】
フィルムエレメントの装飾層１１２は、好ましくは、人間の観察者に光学的に認識可能な一つ又は複数のセキュリティ特徴部を形成する。このため、装飾層１１２は、例えば、一つ又は複数の以下の層を有する。
【００９７】
装飾層１１２は、好ましくは、一つ又は複数の金属層を有し、金属層は、好ましくは、各々の場合において、全表面ではなく部分的にフィルムエレメント１１に設けられる。金属層は、不透明又は半透明に形成されるか、あるいは透過性である。好ましくは、金属層は、本実施例では、明らかに異なる反射及び／又は透過スペクトルを有する異なる材料から形成される。例えば、金属層は、アルミニウム、銅、金、銀又はこれらの金属の合金から形成される。
【００９８】
装飾層１１２は、一つ又は複数の着色層をさらに含んでいてもよい。着色層は、好ましくは、印刷プロセスによって適用される。着色層は、好ましくは、バインダーマトリックスに含有された一つ又は複数の染料及び／又は顔料を含む。これらの顔料は、好ましくは、発光顔料、サーモクロミック顔料及び／又は光学可変顔料、例えば血小板のような干渉層顔料である。
【００９９】
装飾層１１２は、好ましくは、一つ又は複数の光学活性レリーフ構造を有する。当該構造は、好ましくは、各々の場合において、複製ワニス層の表面に導入される。これらのレリーフ構造は、例えば、ホログラム、回折格子、非対称回折格子、ゼロ次回折構造などの回折レリーフ構造であることが好ましい。これらのレリーフ構造は、さらに、等方性及び／又は異方性マット構造、実質的に屈折するブレーズド格子及び／又はレリーフ構造、特にマイクロレンズ、マイクロプリズム又はマイクロミラーであってもよい。
【０１００】
装飾層１１２は、さらに好ましくは、入射光を波長選択的に反射又は屈折させる一つ又は複数の干渉層を有する。これらの層は、例えば、視野角に依存する色シフト効果を生成する薄膜エレメントから形成され得る。色シフト効果は、入射光の半波長又は４分の１波長の領域に光学的深さを有する層の配置に基づいて生じる。これらの層は、好ましくは、特に吸収層と反射層との間に配置されたスペーサ層を有する。さらに、これらの層は、薄膜顔料を有していてもよい。
【０１０１】
装飾層１１２は、さらに好ましくは、一つ又は複数の液晶層を有する。これらの層は、入射光の偏光及び／又は入射光の波長選択反射及び／又は透過、したがって視野角に依存する色シフト効果を生じさせる。
【０１０２】
接着剤層１１３は、好ましくは、一つ又は複数の熱活性化可能な接着剤及び／又はＵＶ放射線によって硬化可能な接着剤から形成される接着剤層である。
【０１０３】
第２のコードエレメント３は、好ましくはレーザによってフィルムエレメント１１に導入される。フィルムエレメント１１の一つ又は複数の層は、光学特性を変化させるため、所定の領域において、レーザにより、除去、穿孔及び／又は励起され、例えば、黒化、漂白、染色される。このようにして、例えば、装飾層１１２の金属層の１つを領域内においてレーザによって除去又は穿孔することが可能であり、その結果、前記層に凹部が形成され、これにより、第２のコードエレメント３が形成される。さらに、装飾層１１２は、レーザの照射によって色を変化させるように所定の領域で励起される一つ又は複数のレーザ感受性層を有していてもよい。有利には、異なる色変化をもたらすいくつかのそのような層が提供される。従って、例えば、レーザを用いて、多色画像をコードエレメント３としてフィルムエレメント１１に導入することができる。
【０１０４】
さらに、第２のコードエレメント３を、デジタル印刷プロセス、特にインクジェット印刷又は熱転写印刷によって、フィルムエレメント１１に導入することができる。したがって、例えば、一つ又は複数の装飾層１１２を、インクジェット印刷又は熱転写印刷によって個別化された方法で適用し、第２のコードエレメント３を対応する方法によって形成することができる。
【０１０５】
さらに、前述したように、個別化された方法で転写フィルムからフィルムエレメント１１を打ち抜き、フィルムエレメント１１の輪郭により第２のコードエレメント３を形成してもよいし、第２のコードエレメント３の情報部分の一部を形成してもよい。
【０１０６】
オーバープリント部１２は、好ましくは、デジタル印刷プロセス、特にインクジェット印刷又は熱転写印刷により形成される。ここで、オーバープリント部１２は、１つの層だけでなく、２つ以上の層も有していてもよい。好ましくは、当該層の少なくとも１つの層は、デジタル印刷プロセスによって適用される。また、グラビア印刷、スクリーン印刷、オフセット印刷又は凹版印刷などの印刷プロセスにより、オーバープリント部の一つ又は複数のさらなる層を設けてもよい。オーバープリント部１２の一つ又は複数の層は、染料及び／又は顔料等が添加されるバインダからなることが好ましい。使用可能な染料及び顔料は、装飾層１１２に関して前述した染料及び顔料に対応し、特に、偽造に対する保護をさらに改善するため光学的に変化する顔料を含んでいてもよい。
【０１０７】
図２ａ〜図２ｃは、オブジェクト１を有し、オブジェクト１上又はオブジェクト１内に第１の部分コードエレメント２１及び第２のコードエレメント３が導入されたさらなる実施例を示している。図２ａは、オブジェクト１の上面図である。図２ｂは、オブジェクト１の断面図であり、第１の部分コードエレメント２１及び第２のコードエレメント３がオブジェクト１のキャリア基板１０上に配置された一例を示している。図２ｃは、オブジェクト１の断面図であり、第１の部分コードエレメント２１及び第２のコードエレメント３がオブジェクト１のキャリア基板１０内に配置された変形例を示している。
【０１０８】
オブジェクト１は、例えば、セキュリティエレメント、例えば、図１ａ及び図１ｂに示すセキュリティエレメント１である。さらに、オブジェクト１は、異なるタイプのオブジェクト、例えば、製品、製品ラベル、包装、射出成形部品又はハウジングであってもよい。
【０１０９】
オブジェクト１は、好ましくは、複数のセキュリティ機能部を有している。図２ａにセキュリティ機能部１３を示している。さらに、オブジェクト１はフィルムエレメント１１を有する。フィルムエレメント１１は、オブジェクト１のキャリア基板１０に適用又はキャリア基板１０内に導入される。さらに、フィルムエレメント１１は、第１の部分コードエレメント２１及び第２のコードエレメント３が領域１４内に適用又は導入されたセキュリティエレメントを形成する。
【０１１０】
フィルム１１は、図１ａ及び図１ｂに示すフィルム１１と同様に形成される。したがって、フィルム１１については前述の記載事項を参照されたい。第２のコードエレメント３に関して図１ａ及び図１ｂに示すフィルムエレメント１１について前述したように、第１の部分コードエレメント２１及び第２のコードエレメント３は、フィルムエレメント１１内に導入又は適用される。これについては前述の記載事項を参照されたい。
【０１１１】
図２ｃに示す変形例では、フィルムエレメント１１が、領域１４においてキャリア基板１０の少なくとも１つの表面から露出している場合にさらに有利である。つまり、領域１４内におけるキャリア基板１０は、対応する凹部を有し、かつ／又は、フィルムエレメント１１は、領域１４内においてキャリア基板１０の表面上に案内される。これにより、領域１４におけるフィルムエレメント１１の光学的視認性が確保される。しかし、キャリア基板１０は、透明に形成されてもよく、したがって、第１の部分コードエレメント２１及び第２のコードエレメント３が特に反射により観察される場合及び／又は透過により観察される場合にキャリア基板１０を通して光学的に認識可能であってもよい。
【０１１２】
図３を参照して、図１ａ及び図１ｂに示したセキュリティエレメント１又は図２ａ〜図２ｃに示したオブジェクト１を認証する方法の一例を説明する。
【０１１３】
図３は、第１の部分コードエレメント２１及び第２のコードエレメント３を有するセキュリティエレメント又はオブジェクト１を示している。セキュリティエレメント又はオブジェクト１は、例えば、図１ａ，１ｂ，２ａ，２ｂ，２ｃに示したように形成される。
【０１１４】
さらに、図３は、リーダ５、通信ネットワーク８、サーバ６及び個別化装置７を示している。
【０１１５】
認証方法を実行する際、好ましくは以下のステップが実行される。
【０１１６】
第１のコードエレメント２は、少なくとも第１の部分コードエレメント２１と第２の部分コードエレメント２２とに分割される。そして、第２の部分コードエレメント２２が記憶される。
【０１１７】
さらに、第１の部分コードエレメント２１及び第２のコードエレメント３の配置は、リーダ５により共に機械的にキャプチャされる。次に、第１の部分コードエレメント２１及び第２のコードエレメント３は、リーダ５によりキャプチャされたデータから抽出される。次に、第２のコードエレメント３をキーとして、記憶された第２の部分コードエレメント２２へのアクセスが行われる。次いで、抽出された第１の部分コードエレメント２１及び記憶された第２の部分コードエレメント２２をマージした結果得られるコードエレメントが第１のコードエレメント２０に対応しているか否かの確認が行われる。
【０１１８】
第１の部分コードエレメント２１及び第２のコードエレメント３の抽出及び確認は、サーバ６によって実行されることが好ましい。しかし、上記事項をリーダ５によって実行してもよい。
【０１１９】
さらに、個別化装置７は、好ましくは、図１ａ〜図２ｃに関して説明したように、第１の部分コードエレメント２１及び第２のコードエレメント３をセキュリティエレメント又はオブジェクト１に適用又は導入するために使用される。しかし、２つのコードエレメントの一方だけをセキュリティエレメント又はオブジェクト１に適用又は導入してもよいし、他方のコードエレメントを、当該他方のコードエレメントに対応する方法で、リーダ５による機械的なキャプチャを行うまでセキュリティエレメント又はオブジェクト１上に配置しなくてもよい。
【０１２０】
リーダ５は、好ましくは、制御装置５２、センサ５１及び通信装置５３を有する。
【０１２１】
センサ５１は、好ましくは、第１の部分コードエレメント２１及びコードエレメント３が配置される領域１４を光学的にキャプチャするカメラからなる。
【０１２２】
通信装置５３は、通信ネットワーク８を介した通信を行うように機能する。したがって、通信装置５３は、例えば、無線ネットワークを介した通信、例えば、ＩＰ（インターネットプロトコル）ベースの通信を可能にする、リーダ５の対応するハードウエア及びソフトウエアコンポーネントから形成される。
【０１２３】
制御装置５２は、前述の方法の実行を制御するリーダ５のハードウエア及びソフトウエアコンポーネントからなる。
【０１２４】
通信ネットワーク８は、好ましくは、ＩＰベースの通信ネットワークである。
【０１２５】
サーバ６は、通信装置６４、いくつかのサービス６１，６２及びサービス６１，６２がアクセスするデータベース６３を有する。
【０１２６】
通信装置６４は、通信装置５３と同様に形成される。したがって、この点については前述の記載事項を参照されたい。
【０１２７】
サービス６１，６２は、以下に説明するサービス６１，６２の実行を可能にするサーバ６のソフトウェア及び／又はハードウェアコンポーネントから形成される。サービス６１，６２は、ソフトウエアコンポーネント及び制御プログラムから全体的に形成されてもよく、対応するハードウェアプラットフォーム上で実行されるときに前述の機能を提供する。
【０１２８】
なお、データベース６３は、必ずしもサーバ６内に配置される必要はない。データベースは、例えば、サービス６１，６２の実行から空間的に分離されて位置する内部又は外部のデータベースであってもよい。
【０１２９】
個別化装置７は、好ましくは、レーザ、印刷装置、個人化装置及び／又は熱転写、ホットスタンピング又はコールドスタンピング装置であり、これらは、図１ａ〜図２ｃを参照して前述したように、第１の部分コードエレメント２１及び第２のコードエレメント３をセキュリティエレメント又はオブジェクト１に導入又は適用する。
【０１３０】
第１のコードエレメント２及び第２のコードエレメント３は、好ましくは、一連の英数字、一連の数字、バーコード、特に二次元バーコード、ＱＲコード及び／又は単色又は多色画像、特にグラフィック又はトゥルーカラー画像からなる。
【０１３１】
第１のコードエレメント２が、例えば、一連の文字からなる場合、手順は以下の通りである。
【０１３２】
まず、一連の英数字、例えば番号１２３４５６７８が第１のコード２０として生成される。これから、チェックサムＸが計算され、一連の英数字にチェックサムが付加されて完成する（例えば、１２３４５６７８Ｘ）。この完成した一連の英数字は、例えば、第１のコードエレメント２を形成する。第１のコードエレメント２は、２つの部分に分割される。例えば、第１のコードエレメント２は、一連の英数字１，２，３，４を有する第１の部分コードエレメント２１と、一連の英数字５，６，７，８，Ｘを有する第２の部分コードエレメント２２とに分割される。
【０１３３】
さらに、好ましくは、規定されたリーダによってのみ読取り可能なキーを含む第２のコードエレメント３が生成される。例えば、第２のコードエレメント３は、一連の英数字Ａ，Ｂ，Ｃ，Ｄからなる。チェックサムを含む第２の部分コードエレメント（５６７８Ｘ）は、データベース６３に記憶され、データベース６３内のこのデータセットにアクセスするための第２のコードエレメント３（ＡＢＣＤ）が定義される。次に、第１の部分コードエレメント２１（１２３４）がセキュリティエレメント又はオブジェクト１に適用され、第２のコードエレメント３（ＡＢＣＤ）が第１の部分コードエレメント２１に近いセキュリティエレメント又はオブジェクト１に適用される。これは個別化装置７によって行われる。
【０１３４】
真正性を確認するため、センサ５１により、セキュリティエレメント又はオブジェクト１が領域１４内でスキャンされる。このスキャンによって生成されたデータセット、好ましくは第１の部分コードエレメント２１（１２３４）及び第２のコードエレメント３（ＡＢＣＤ）を含む画像データセットは、制御装置５２によりサーバ６に送信される。
【０１３５】
第１の部分コードエレメント２１及びコードエレメント３に関するデータセットに含まれる情報は、サーバ６により、例えばテキスト認識により送信されたデータセットから抽出される。次に、第２のコードエレメント３（ＡＢＣＤ）を使用してデータベース６３にアクセスし、割り当てられた第２の部分コードエレメント２２（５６７８Ｘ）を読み取る。次いで、部分コードエレメント２１，２２の２つの一連の英数字が再びマージされ、チェックサムを参照して、このようにマージされたコードエレメントが第１のコードエレメント２に対応するか否か、すなわち、第１のコードエレメント２に一致するか否か判定する。次に、対応するメッセージ（真又は偽）がリーダ５に送られる。
【０１３６】
本実施例において、チェックサムは、例えば、いわゆる「Ｌｕｈｎアルゴリズム」を用いて計算される。最後の数字から前方に向かって２行ごとに２倍にする。次に、数字和が生成される。その後、これに桁数を乗算し、その結果にモジュロ１０を適用する。
【０１３７】
上記の機能は、リーダ５、個別化装置７及びサービス６１，６２によって実行されることが好ましい。これについては、図４ａ，４ｂに示すフロー図を参照して以下に説明する。
【０１３８】
第１のコード２０を含むクエリ（問い合わせ）は、個別化装置７によってサービス６１に送られる。これにより、サービス６１は、第１のコードエレメント２を生成し、第１のコードエレメント２を第１の部分コードエレメント２１と第２の部分コードエレメント２２とに分割し、第２のコードエレメント３を生成する。次に、第２のコードエレメント３及び第２の部分コードエレメント２２並びに任意選択でチェックのためのさらに別の情報がデータベース６３に記憶される。そして、クエリに対する応答として、第１の部分コードエレメント２１及び第２のコードエレメント３が、サービス６１によって個別化装置７に送信される。これらは、前述したように、個別化装置７によりセキュリティエレメント又はオブジェクト１に適用又は導入される。
【０１３９】
リーダ５は、センサ５１によって、第１の部分コードエレメント２１及び第２のコードエレメント３を含む領域１４の光学コピーを含む画像データセット９１０をキャプチャする。この画像データセット９１０は、リーダ５によってクエリ９１におけるサービス６２に送られる。サービス６２は、画像データセット９１０から第１の部分コードエレメント２１及び第２のコードエレメント３を抽出する。サービス６２は、キーとしての第２のコードエレメント３に基づいてデータベース６３にアクセスし、割り当てられた第２の部分コードエレメント２２を入手する。次に、サービス６２は、抽出された第１の部分コードエレメント２１と、記憶された第２の部分コードエレメント２２とをマージし、これにより得られたコードエレメントが第１のコードエレメント２に対応するか否かを確認する。次いで、サービス６２は、対応する通知９２をリーダ５に送信し、リーダ５は、認証の結果、例えば「真」又は「偽」を送信する。
【０１４０】
以下、図５ａ〜図５ｊを参照して、２次元バーコード、特にＱＲコードが第１のコードエレメント及び第２のコードエレメント３として使用される実施例を説明する。
【０１４１】
本実施例では、好ましくは、第１に、一意の一連の英数字が第１のコード２０として生成される。第１のコード２０は、第１のステップにおいて、第１のコードエレメント２を形成する対応のＱＲコードに変換される。したがって、例えば、図５ａは、２次元バーコードの形態をなす第１のコードエレメント２を示している。
【０１４２】
さらに、データベース６３における割り当てられたデータセットに対して第２のコード３０又はキーが生成される。第２のコード３０又はキーはデータセットを一意に識別する次に、好ましくは一連の数字又は英数字として存在するキー又は第２のコード３０が、第２のコードエレメント３を形成する２次元バーコードに変換される。図５ｂは、２次元バーコードの形態をなすそのようなコードエレメント３を例示している。
【０１４３】
次に、第１のコードエレメント２が分割される。その手順は、好ましくは、以下の通りである。
【０１４４】
まず、第１のコードエレメント２の基準点２０２が決定される。例えば図５ｃに示すように、好ましくは、第２のコードエレメント３の領域の中心が基準点２０２として選択される。
【０１４５】
次に、テンプレート２００が決定される。ここで、テンプレート２００は、ランダム又は擬似ランダムに生成されるか、あるいは予め定義されたテンプレートのグループからランダム又は擬似ランダムに選択される。同一のテンプレートを複数回使用してもよい。図５ｄは、一例として三角形をなす対応するテンプレート２００を示している。
【０１４６】
次に、テンプレート２００の基準点２０１が決定される。テンプレート２００の領域の中心は、図５ｄに示したように選択されることが好ましい。
【０１４７】
次に、テンプレート２００が第１のコードエレメント２に適用される。このための手順は、好ましくは、以下の通りである。
【０１４８】
テンプレート２００は、図５ｅに示すように、第１のコードエレメント２と重ね合わされる。この重ね合わせは、テンプレート２００の基準点２０１と第１のコードエレメント２の基準点２０２とに基づいて行われることが好ましい。好ましくは、２つの基準点２０１，２０２は、重ね合わせ中にオーバラップし、基準点２０１，２０２に基づいて第１のコードエレメント２上にテンプレートが位置決めされる。
【０１４９】
次に、テンプレート２００が第１のコードエレメント２に重ならない第１のコードエレメント２の部分領域が、第１の部分コードエレメント２１に割り当てられる。一方、第１のコードエレメント２がテンプレート２００と重なる第１のコードエレメント２の部分領域が第２の部分コードエレメント２２に割り当てられる。
【０１５０】
図５ｆ，５ｇは、テンプレート２００の適用に基づく分割の結果を示している。図５ｆは、テンプレート２００が重なっていない部分領域を有する第１の部分コードエレメント２１を示している。図５ｇは、テンプレート２００が重なった第１のコードエレメント２の部分領域を有する第２の部分コードエレメント２２を示している。
【０１５１】
次に、第１の部分コードエレメント２１及びコードエレメント３は、サーバ６によって個別化装置７に送信される。また、第１の部分コードエレメント２１及びコードエレメント３を、図５ｈに示すように共通の画像データセットとして個別化装置７に送信してもよい。第１の部分コードエレメント２２及び第２のコードエレメント３は、図５ｉに示すように、個別化装置７によってセキュリティエレメント又はオブジェクト１に適用又は導入される。
【０１５２】
次いで、例えば図５ｉに示す画像情報を含む画像データセット９１０が、リーダ５による共同の機械的なキャプチャの後にサーバ６に送信される。サーバ６は、例えば画像処理及び／又は画像認識アルゴリズムにより、画像データセット９１０から部分コードエレメント２１及びコードエレメント３を抽出する。このため、例えば、第２のコードエレメント３に割り当てられた画像データセットの画像領域は、バーコード認識によって処理され、バーコードから第２の部分コードエレメント２２にアクセスするために使用される、割り当てられた一連の英数字が確認される。
【０１５３】
さらに、第１の部分コードエレメント２１に割り当てられた画像データセット９１０の部分は、好ましくは、対応する部分画像データセットとして抽出される。次いで、データベース６３に記憶された第２の部分コードエレメント２２とのマージが実行される。このため、抽出された第１の部分コードエレメント２１は、好ましくは記憶された基準点２０１，２０２に基づいて、記憶された第２の部分コードエレメント２２と重ね合わされる。これを図５ｊに示す。これは、基準点２０１，２０２による対応する位置決めに基づいて、抽出された第１の部分コードエレメント２１及び記憶された第２の部分コードエレメント２２の２つの画像データセットの対応するマージにより行われる。マージの結果、コードエレメント２３は、バーコード認識の対象となる。得られた一連の英数字は、第１のコード２０に対応する一連の英数字と比較される。さらに、この確認は、第１のコード２０のチェックサムと、バーコード認識後のコードエレメント２３から得られる一連の文字から決定されるチェックサムとに基づいて行うこともできる。
【０１５４】
２つの一連の英数字又はチェックサムが一致する場合、リーダ５に「真」メッセージが送信され、一致しない場合、「偽」メッセージが送信される。
【０１５５】
以下、図６ａ〜図６ｆを参照して、グラフィックの形態をなす画像が第１のコードエレメント２として使用され、バーコードが第２のコードエレメント３として使用される実施例を説明する。
【０１５６】
まず、例えば図６ａに示すように形成されるグラフィックが第１のコードエレメント２として生成される。このグラフィックをランダム又は擬似ランダムに生成してもよいし、所定のグラフィックのグループからランダム又は擬似ランダムに選択してもよいし、あるいはいくつかのオブジェクトに対して同じグラフィックを使用してもよい。
【０１５７】
続いて、第１のコードエレメント２を第１の部分コードエレメント２１と第２の部分コードエレメント２２とに分割する。このための手順は、好ましくは、図５に示した実施例について前述したものと同じであり、すなわち、テンプレート２００が第１のコードエレメント２に適用される。好ましくは、テンプレート２００の基準点２０１及び第１のコードエレメント２の基準点２０２の決定が行われる。図６ａは、第１のコードエレメント２の基準点２０２の決定を例示している。図６ｂは、一例として、第１のコードエレメント２とオーバラップする基準点２０１を有するテンプレート２００を示している。図６ｃは、これにより得られた第１の部分コードエレメント２１及び第２の部分コードエレメント２２を示している。
【０１５８】
次に、図５による実施例について既に詳細に説明したように、第２のコードエレメント３は、図５に示すように、バーコードの形態で生成され、第１の部分コードエレメント２１及び第２のコードエレメント３は、個別化装置７に送信され、セキュリティエレメント又はオブジェクト１に適用及び／又は導入される。
【０１５９】
さらなるプロセスは、一実施例について説明した通りである。したがって、リーダ５によりキャプチャされた共通画像データセット９１０から、第１の部分コードエレメント２１及び第２のコードエレメント３が抽出され、第２の部分コードエレメント２２がデータベース６３から読み出され、第１及び第２の部分コードエレメントがマージされて、その結果、図６ｆに示すように、コードエレメント２３が得られる。コードエレメント２３と第１のコードエレメント２とが一致するか否かの確認は、例えば、２つの画像データセットの対応する画像の比較によって又はこれらの画像データセットにより生成される対応するチェックサムの比較によって行われる。
【０１６０】
図７ａ〜図９ｃを参照して、多色画像が第１のコードエレメント２として使用される実施例を説明する。
【０１６１】
まず、第１のコードエレメント２が生成される。第１のコードエレメント２は、本実施例では、トゥルーカラー画像、例えば写真から形成される。この画像を、ランダム又は擬似ランダムに生成又は修正してもよいし、あるいは、予め定義された画像のグループからランダム又は擬似ランダムに選択してもよい。
【０１６２】
この場合、第１のコードエレメント２のスペクトルの第１の部分を第１の部分コードエレメント２１に割り当て、スペクトルの残りの部分を第２の部分コードエレメント２２に割り当てるテンプレート２００が、第１のコードエレメント２に適用される。本実施例では、ＲＧＢ画像のカラーチャネルＲ，Ｇ，Ｂのうちの１つ、例えば、赤チャネル、緑チャネル又は青チャネルが、ここではスペクトルの一部として使用される。従って、例えば、赤チャネル及び緑チャネルのスペクトルは第１の部分コードエレメント２１に割り当てられ、青チャネルのスペクトルは第２の部分コードエレメント２２に割り当てられる。図７ａは、画像の赤チャネル及び緑のチャネルが第１の部分コードエレメント２１を形成し、青のチャネルが第２の部分コードエレメント２２を形成する、トゥルーカラー画像の形態をなすコードエレメントの対応する実施例を示している。
【０１６３】
さらに、部分スペクトルは、ＲＧＢ画像の赤、緑及び青のチャネルに合わせるのではなく、所望に応じて選択してもよい。
【０１６４】
このようにして形成された第１及び第２の部分コードエレメント２１，２２と、バーコードとして形成された第２のコードエレメント３とに基づくプロセスは、図５，６の実施例のプロセスに対応している。第１の部分コードエレメント２１及び第２のコードエレメント３は、図７ｂに示すように、セキュリティエレメント又はオブジェクト１に適用又は導入される。
【０１６５】
リーダ５により共にキャプチャされた画像データセット９１０から、図５〜図６に示した実施例に関して説明したように、第１の部分コードエレメント２１及び第２のコードエレメント３が引き続いて抽出され、第１及び第２の部分コードエレメント２１，２２がマージされる。このため、２つの部分コードエレメント２１，２２の画像データセットは、見当合わせされて重ねられ、前述したように、対応する画像比較により一致しているか否かの確認が行われる。
【０１６６】
図８ａ〜図８ｃ及び図９ａ〜図９ｃによる実施例のプロセスは、以下の通りである。
【０１６７】
図８ａ及び図９ａは、トゥルーカラー画像として形成された第１のコードエレメント２及び対応する部分コードエレメント２１，２２の異なる実施例を示しており、一方は赤チャネル及び緑チャネルを含み、他方は青チャネルを含む。さらに、コードエレメント２、第１の部分コードエレメント２１又は第２の部分コードエレメント２２に含まれるか又は重ね合わされた、トゥルーカラー画像の部分スペクトル２４，２５，２６が示されている。
【０１６８】
図８ｂ及び図９ｂは、このように形成された第１のコードエレメント２１及び第２のコードエレメント３のオブジェクト１上の配置を示している。図８ｃ及び図９ｃは、コードエレメント２３を形成するための第１の部分コードエレメント２１及び第２の部分コードエレメント２２のマージを示している。
【符号の説明】
【０１６９】
１  オブジェクト、セキュリティエレメント
１０  キャリア基板
１００  セキュリティドキュメント
１１  フィルムエレメント
１１１  保護層
１１２  装飾層
１１３  接着剤又は接着促進層
１２  オーバープリント部
１３  セキュリティ機能部
１４  領域
２  コードエレメント
２０  コード
２００  テンプレート
２０１  基準点
２０２  基準点
２１  部分コードエレメント
２２  部分コードエレメント
２３  コードエレメント
２４，２５，２６  部分スペクトル
３  コードエレメント
３０  第２のコード
５  リーダ
５１  センサ
５２  制御装置
５３  通信装置
６  サーバ
６１  サービス
６２  サービス
６３  データベース
６４  通信装置
７  個別化装置
８  通信ネットワーク
９１  クエリ
９１０  画像データセット
９２  通知
【図１ａ】
2020525882.tif 000003
【図１ｂ】
2020525882.tif 000004
【図２ａ】
2020525882.tif 000005
【図２ｂ】
2020525882.tif 000006
【図２ｃ】
2020525882.tif 000007
【図３】
2020525882.tif 000008
【図４ａ】
2020525882.tif 000009
【図４ｂ】
2020525882.tif 000010
【図５ａ】
2020525882.tif 000011
【図５ｂ】
2020525882.tif 000012
【図５ｃ】
2020525882.tif 000013
【図５ｄ】
2020525882.tif 000014
【図５ｅ】
2020525882.tif 000015
【図５ｆ】
2020525882.tif 000016
【図５ｇ】
2020525882.tif 000017
【図５ｈ】
2020525882.tif 000018
【図５ｉ】
2020525882.tif 000019
【図５ｊ】
2020525882.tif 000020
【図６ａ】
2020525882.tif 000021
【図６ｂ】
2020525882.tif 000022
【図６ｃ】
2020525882.tif 000023
【図６ｄ】
2020525882.tif 000024
【図６ｅ】
2020525882.tif 000025
【図６ｆ】
2020525882.tif 000026
【図７ａ】
2020525882.tif 000027
【図７ｂ】
2020525882.tif 000028
【図８ａ】
2020525882.tif 000029
【図８ｂ】
2020525882.tif 000030
【図８ｃ】
2020525882.tif 000031
【図９ａ】
2020525882.tif 000032
【図９ｂ】
2020525882.tif 000033
【図９ｃ】
2020525882.tif 000034
【国際調査報告】
2020525882.tif 000035
2020525882.tif 000036
2020525882.tif 000037
2020525882.tif 000038